(57)【要約】【課題】同様の内容が複数ページに渡って記載された一連の原稿を読み取っているときにジャムが発生した場合に、ユーザが、これら原稿の中から再セットすべき先頭原稿を迷うことなく特定することを可能とする。【解決手段】  一連の原稿を読み取り中に、ジャム等が発生した場合、直前に読み取られた原稿のイメージ画像１０２を原稿再セット要求画面１００に表示するだけでなく、ページ戻しボタン１０５若しくはページ送りボタン１０６又はこれらと同一の機能を持つハードウェアキーを随時押下して、上記発生時までに読み取られた全ての原稿のイメージ画像１０２をそれぞれ表示し、確認することができるようにした。また、両面読み取りの場合には、上記直前のイメージ画像は画面１００に意図的に表示させないようにして、先頭原稿を特定する手間を簡略化した。【選択図】図４
2009207023.tif 000002
【特許請求の範囲】
【請求項１】
表示装置と、記憶装置と、原稿積載手段から一連の原稿を搬送する自動原稿搬送手段と、該自動原稿搬送手段により搬送された原稿を読み取る原稿読み取り手段と、該原稿読み取り手段により読み取られた原稿の画像データを該記憶装置に格納させる原稿画像記憶制御手段と、を備えた画像形成装置において、
該自動原稿搬送手段が該一連の原稿を搬送しているときに、その搬送を中断する原因があった場合、その原因発生前までに該記憶装置に格納された一連の原稿の画像データ毎に、表示用データを生成する表示用データ生成手段と、
該表示用データ生成手段により生成された表示用データの画像を含む原稿再セット要求画面を、該表示装置に表示させる表示制御手段と、
をさらに備えることを特徴とする画像形成装置。
【請求項２】
該中断原因発生時に、該搬送に係るジョブにおいて両面読み取り設定がされている場合に、該中断原因発生時の読み取り途中の原稿ページが、その原稿の一片面を読み取った後の反対面であるか否かを判断し、肯定判断したときに例外が発生したと判断する例外発生判断手段を、さらに備え、
該例外が発生した場合、
該表示用データ生成手段は、該一片面の画像データを除いて、該中断原因発生前までに該記憶装置に格納された一連の原稿の画像データ毎に、表示用データを生成し、
該表示制御手段は、該表示用データ生成手段により生成された表示用データの画像を含む原稿再セット要求画面を、該表示装置に表示し、該一片面の画像データに係る画像は表示させない、
ことを特徴とする請求項１に記載の画像形成装置。
【請求項３】
該表示制御手段は、該原稿再セット要求画面において、該一片面を含む原稿を先頭原稿とし、それ以降のページの原稿を該原稿積載手段にセットして、ジョブ再開を指示するよう操作者に促すためのメッセージを、さらに該表示装置に表示させ、
該入力手段により該ジョブ再開が指示された場合、該原稿画像記憶制御手段は、読み取り済みの該一片面の画像データに続いて該反対面の画像データから、該記憶装置に順次格納させる、
ことを特徴とする請求項２に記載の画像形成装置。
【請求項４】
該表示制御手段は、該原稿再セット要求画面において、該一片面を含む原稿を先頭原稿とし、それ以降のページの原稿を該原稿積載手段にセットして、ジョブ再開を指示するよう操作者に促すためのメッセージを、さらに該表示装置に表示させ、
該入力手段により該搬送に係るジョブの再開が指示された場合、
該原稿画像記憶制御手段は、該記憶装置に該一片面の画像データを消去させ、消去された一片面よりも一ページ前の画像データに続いて、該原稿積載手段に積載された先頭原稿における最初の読み取り面の画像データから、該記憶装置に順次格納する、
ことを特徴とする請求項２に記載の画像形成装置。
【請求項５】
該表示制御手段は、該原稿再セット要求画面において、該画面に表示する該表示用データの画像のページ番号と、読込み済みページ数と、をさらに該表示装置に表示させることを特徴とする請求項１乃至３のいずれか１つに記載の画像形成装置。
【請求項６】
指示入力手段をさらに備え、
該表示制御手段は、該原稿再セット要求画面において、該原稿ページの切替えガイドをさらに該表示装置に表示させ、該ガイドに従った該指示入力手段による切替え指示に応答して、切替え後のページ番号に該当する表示用データの画像を含む原稿再セット要求画面を、該表示装置に表示させる、
ことを特徴とする請求項１乃至４のいずれか１つに記載の画像形成装置。
【請求項７】
該表示用データ生成手段は、原因発生前までに該記憶装置に格納された一連の原稿の画像データを縮小し、サムネイル画像として表示用データを生成し、
該表示制御手段は、該原稿再セット要求画面において、該表示用データ生成手段により生成された全てのサムネイル画像を、該表示装置に表示させる、
ことを特徴とする請求項１乃至６のいずれか１つに記載の画像形成装置。
【請求項８】
両面読み取り設定がされている場合、該表示制御手段は、該原稿再セット要求画面において、原稿の片面の画像と、その反対面の画像とを隣り合わせにして、該表示装置に表示させる、
ことを特徴とする請求項１乃至６のいずれか１つに記載の画像形成装置。
【発明の詳細な説明】
【技術分野】
【０００１】
本発明は、コピー機能を有するデジタル複写機、ファクシミリ又は複合装置等の画像形成装置に関する。
【背景技術】
【０００２】
下記特許文献１では、自動原稿搬送装置を備えた複合機を用いて一連の原稿を読み取っているときにジャムが発生した場合、読み取り途中の原稿の画像データ及びその直前の原稿の画像データを表示する、発明が開示されている。
【０００３】
この発明によれば、ユーザは、ジャム解除後に、一連の原稿のうちどの原稿を先頭として上記自動原稿搬送装置に再セットすればよいか視覚的に判断することができる。
【特許文献１】特開２００５−２７４９４１号公報
【発明の開示】
【発明が解決しようとする課題】
【０００４】
しかしながら、上記特許文献１の発明では、最大でも二ページ分の原稿しか表示されないので、一連の原稿の中に同様の内容が記載された原稿がある場合、再セットすべき先頭原稿を取り違えるおそれがあった。特に、これら一連の原稿を両面読み取りする場合、どの原稿を先頭にして、さらに、その先頭原稿の表面裏面どちらの面を上にして再セットすべきかを判断しなければならないので、再セットすべき先頭原稿を取り違える可能性が一層高い。
【０００５】
本発明の目的は、上記問題点に鑑み、同様の内容が複数ページに渡って記載された一連の原稿を読み取っているときにジャムが発生した場合に、ユーザが、これら原稿の中から再セットすべき先頭原稿を迷うことなく特定することが可能な画像形成装置を提供することにある。
【課題を解決するための手段】
【０００６】
本発明による画像形成装置の第１態様では、
表示装置と、記憶装置と、原稿積載手段から一連の原稿を搬送する自動原稿搬送手段と、該自動原稿搬送手段により搬送された原稿を読み取る原稿読み取り手段と、該原稿読み取り手段により読み取られた原稿の画像データを該記憶装置に格納させる原稿画像記憶制御手段と、を備えた画像形成装置において、
該自動原稿搬送手段が該一連の原稿を搬送しているときに、その搬送を中断する原因があった場合、その原因発生前までに該記憶装置に格納された一連の原稿の画像データ毎に、表示用データを生成する表示用データ生成手段と、
該表示用データ生成手段により生成された表示用データの画像を含む原稿再セット要求画面を、該表示装置に表示させる表示制御手段と、
をさらに備えることを特徴とする。
【０００７】
なお、上記表示装置は、画像形成装置に結合された外部の表示装置をも含み、上記記憶装置は、メモリに限定されずＨＤＤ等でもよい。また、上記中断原因とは、ジャム又は給紙トレイがオープンしたとき等である。
【０００８】
本発明による画像形成装置の第２態様では、
該中断原因発生時に、該搬送に係るジョブにおいて両面読み取り設定がされている場合に、該中断原因発生時の読み取り途中の原稿ページが、その原稿の一片面を読み取った後の反対面であるか否かを判断し、肯定判断したときに例外が発生したと判断する例外発生判断手段を、さらに備え、
該例外が発生した場合、
該表示用データ生成手段は、該一片面の画像データを除いて、該中断原因発生前までに該記憶装置に格納された一連の原稿の画像データ毎に、表示用データを生成し、
該表示制御手段は、該表示用データ生成手段により生成された表示用データの画像を含む原稿再セット要求画面を、該表示装置に表示し、該一片面の画像データに係る画像は表示させない、
ことを特徴とする。
【０００９】
なお、上記ジョブは、コピージョブに限られず、スキャンジョブ又はファクシミリジョブのいずれかでもよい。
【００１０】
本発明による画像形成装置の第３態様では、
該表示制御手段は、該原稿再セット要求画面において、該一片面を含む原稿を先頭原稿とし、それ以降のページの原稿を該原稿積載手段にセットして、ジョブ再開を指示するよう操作者に促すためのメッセージを、さらに該表示装置に表示させ、
該入力手段により該ジョブ再開が指示された場合、該原稿画像記憶制御手段は、読み取り済みの該一片面の画像データに続いて該反対面の画像データから、該記憶装置に順次格納させる、
ことを特徴とする。
【００１１】
本発明による画像形成装置の第４態様では、
該表示制御手段は、該原稿再セット要求画面において、該一片面を含む原稿を先頭原稿とし、それ以降のページの原稿を該原稿積載手段にセットして、ジョブ再開を指示するよう操作者に促すためのメッセージを、さらに該表示装置に表示させ、
該入力手段により該搬送に係るジョブの再開が指示された場合、
該原稿画像記憶制御手段は、該記憶装置に該一片面の画像データを消去させ、消去された一片面よりも一ページ前の画像データに続いて、該原稿積載手段に積載された先頭原稿における最初の読み取り面の画像データから、該記憶装置に順次格納する、
ことを特徴とする。
【００１２】
本発明による画像形成装置の第５態様では、
該表示制御手段は、該原稿再セット要求画面において、該画面に表示する該表示用データの画像のページ番号と、読込み済みページ数と、をさらに該表示装置に表示させることを特徴とする。
【００１３】
本発明による画像形成装置の第６態様では、
指示入力手段をさらに備え、
該表示制御手段は、該原稿再セット要求画面において、該原稿ページの切替えガイドをさらに該表示装置に表示させ、該ガイドに従った該指示入力手段による切替え指示に応答して、切替え後のページ番号に該当する表示用データの画像を含む原稿再セット要求画面を、該表示装置に表示させる、
ことを特徴とする。
【００１４】
本発明による画像形成装置の第７態様では、
該表示用データ生成手段は、原因発生前までに該記憶装置に格納された一連の原稿の画像データを縮小し、サムネイル画像として表示用データを生成し、
該表示制御手段は、該原稿再セット要求画面において、該表示用データ生成手段により生成された全てのサムネイル画像を、該表示装置に表示させる、
ことを特徴とする。
【００１５】
本発明による画像形成装置の第８態様では、
両面読み取り設定がされている場合、該表示制御手段は、該原稿再セット要求画面において、原稿の片面の画像と、その反対面の画像とを隣り合わせにして、該表示装置に表示させる、
ことを特徴とする。
【発明の効果】
【００１６】
上記第１態様の構成によれば、「該自動原稿搬送手段が該一連の原稿を搬送しているときに、その搬送を中断する原因があった場合、その原因発生前までに該記憶装置に格納された一連の原稿の画像データ毎に、表示用データを生成する表示用データ生成手段と、該表示用データ生成手段により生成された表示用データの画像を含む原稿再セット要求画面を、該表示装置に表示させる表示制御手段と」をさらに備える。これにより、ユーザは、搬送に係る中断原因発生前までに読み取られた全ての原稿の画像を、同時に又は別個に表示して確認することができるので、上記一連の原稿の中に同様の内容が記載された原稿が複数ある場合でも、再セットすべき先頭原稿を迷うことなく特定することができるという効果を奏する。
【００１７】
上記１態様では、両面読み取りの場合には、先頭原稿を特定した後、さらにその先頭原稿の表面裏面どちらの面を上にして再セットすべきか判断しなければならない。すなわち、先頭原稿を原稿単位で特定し、かつ、ページ単位で特定しなければならない。
【００１８】
よって、上記第１態様の例外処理として、上記第２態様の構成によれば、「該中断原因発生時に、該搬送に係るジョブにおいて両面読み取り設定がされている場合に、該中断原因発生時の読み取り途中の原稿ページが、その原稿の一片面を読み取った後の反対面であるか否かを判断し、肯定判断したときに例外が発生したと判断する例外発生判断手段を、さらに備え、該例外が発生した場合、該表示用データ生成手段は、該一片面の画像データを除いて、該中断原因発生前までに該記憶装置に格納された一連の原稿の画像データ毎に、表示用データを生成し、該表示制御手段は、該表示用データ生成手段により生成された表示用データの画像を含む原稿再セット要求画面を、該表示装置に表示し、該一片面の画像データに係る画像は表示させない」。
【００１９】
これにより、反対面がまだ読まれていない上記一片面の画像データに係る画像は視覚に入らないので、ユーザは、先頭原稿となる該一片面を含んだ原稿の表面裏面どちらの面を上にして再セットすべきか判断せず、ページ単位ではなく、原稿単位で意識することが可能となり、もって先頭原稿を迷うことなく特定することができるという効果を奏する。
【００２０】
上記第３態様の構成によれば、「該表示制御手段は、該原稿再セット要求画面において、該一片面を含む原稿を先頭原稿とし、それ以降のページの原稿を該原稿積載手段にセットして、ジョブ再開を指示するよう操作者に促すためのメッセージを、さらに該表示装置に表示させ、該入力手段により該ジョブ再開が指示された場合、該原稿画像記憶制御手段は、読み取り済みの該一片面の画像データに続いて該反対面の画像データから、該記憶装置に順次格納させる」。これにより、先頭原稿となる上記一片面を含んだ原稿のどちらの面を上にして再セットしても、原稿の画像データが正しく格納されていくので、ユーザは、ページ単位を意識する必要がなくなり、上記第２態様よりもさらに、先頭原稿を原稿単位として意識することが可能となり、もって先頭原稿を迷うことなく特定することができるという効果を奏する。
【００２１】
上記第４態様の構成によれば、「該表示制御手段は、該原稿再セット要求画面において、該一片面を含む原稿を先頭原稿とし、それ以降のページの原稿を該原稿積載手段にセットして、ジョブ再開を指示するよう操作者に促すためのメッセージを、さらに該表示装置に表示させ、該入力手段により該搬送に係るジョブの再開が指示された場合、該原稿画像記憶制御手段は、該記憶装置に該一片面の画像データを消去させ、消去された一片面よりも一ページ前の画像データに続いて、該原稿積載手段に積載された先頭原稿における最初の読み取り面の画像データから、該記憶装置に順次格納する」。これにより、先頭原稿となる上記一片面を含んだ原稿のどちらの面を上にして再セットしても、原稿の画像データが正しく格納されていくので、ユーザは、ページ単位を意識する必要がなくなり、上記第２態様よりもさらに、先頭原稿を原稿単位として意識することが可能となり、もって先頭原稿を迷うことなく特定することができるという効果を奏する。
【００２２】
上記第５態様の構成によれば、「該表示制御手段は、該原稿再セット要求画面において、該画面に表示する該表示用データの画像のページ番号と、読込み済みページ数と、をさらに該表示装置に表示させる」ので、一連の原稿の枚数を確認しながら再セットすべき先頭原稿を迷うことなく特定することができるという効果を奏する。
【００２３】
上記第６態様の構成によれば、「指示入力手段をさらに備え、該表示制御手段は、該原稿再セット要求画面において、該原稿ページの切替えガイドをさらに該表示装置に表示させ、該ガイドに従った該指示入力手段による切替え指示に応答して、切替え後のページ番号に該当する表示用データの画像を含む原稿再セット要求画面を、該表示装置に表示させる」ので、ユーザは、中断原因発生前までに読み取った全ての画像を、順次表示して確認することができるので、上記一連の原稿の中に同様の内容が記載された原稿が複数ある場合でも、再セットすべき先頭原稿をより容易に特定することができるという効果を奏する。
【００２４】
上記第７態様の構成によれば、「該表示用データ生成手段は、原因発生前までに該記憶装置に格納された一連の原稿の画像データを縮小し、サムネイル画像として表示用データを生成し、該表示制御手段は、該原稿再セット要求画面において、該表示用データ生成手段により生成された全てのサムネイル画像を、該表示装置に表示させる」ので、ユーザは、搬送に係る中断原因発生前までに読み取った全ての画像を、同時に表示して一目で確認することができるので、上記一連の原稿の中に同様の内容が記載された原稿が複数ある場合でも、再セットすべき先頭原稿をより容易に特定することができるという効果を奏する。
【００２５】
上記第８態様の構成によれば、「両面読み取り設定がされている場合、該表示制御手段は、該原稿再セット要求画面において、原稿の片面及び反対面の表示用データの画像をセットにして、該表示装置に表示させる」ので、原稿の両面画像を同時に確認することができ、もって上記一連の原稿の中に同様の内容が記載された原稿が複数ある場合でも、再セットすべき先頭原稿をより容易に特定することができるという効果を奏する。
【００２６】
本発明の他の目的、構成及び効果は以下の説明から明らかになる。
【実施例１】
【００２７】
図１は、本発明の実施例１に係わる画像形成装置のハードウェア構成を示す概略ブロック図である。
【００２８】
この画像形成装置１０は、コピー、プリント、スキャナ及びファクシミリ機能を有する複合機で、主に、コントローラ部２０と、パネル部３０と、スキャナ部４０と、プリンタ部５０と、を備える。
【００２９】
コントローラ部２０では、ＭＰＵ２１にインタフェース２２を介してＥＥＰＲＯＭ２３Ｅ１、ＥＥＰＲＯＭ２３Ｅ２、ＤＲＡＭ２３Ｄ、ファクシミリモデム２４、ＣＯＤＥＣ２５、画像メモリ２６、パネル部３０、スキャナ部４０、及び、プリンタ部５０が結合されている。図１では、簡単化のため、複数のインタフェースを１つのブロックで示している。
【００３０】
ＥＥＰＲＯＭ２３Ｅ１及び２３Ｅ２は、例えばフラッシュメモリである。ＥＥＰＲＯＭ２３Ｅ１には、ＢＩＯＳ（Basic Input Output System）が格納されている。ＥＥＰＲＯＭ２３Ｅ２には、ＯＳ（Operating System）と、このＯＳ上で動作する各種プログラムと、各種デバイスドライバと、各種設定値とが格納されている。
【００３１】
ＤＲＡＭ２３Ｄはワークエリア用である。ファクシミリモデム２４は、ファクシミリ送受信用である。
【００３２】
ＣＯＤＥＣ２５は、画像データを符号化若しくは復号化し、又は、圧縮若しくは伸張するために用いられる。画像メモリ２６には、スキャナ部４０で読み取った画像データがＣＯＤＥＣ２５で符号化されて格納される。
【００３３】
パネル部３０は、操作画面又は画像形成装置１０の機器状態等を表示するＬＣＤ（液晶ディスプレイ）を有する表示部３１と、設定値又は指示を入力するための複数のハードウェアキーを有する指示入力部３２と、から構成される。
【００３４】
スキャナ部４０は、スキャン、コピー及びファックス機能で用いられ、原稿積載トレイ４１と、自動原稿搬送装置４２と、原稿読取部４３と、から構成される。原稿積載トレイ４１にセットされる一連の原稿Ｐは、自動原稿搬送装置４２により１枚ずつ原稿読取位置まで搬送される。そして、画像読取位置まで搬送された原稿に、ハロゲンランプ又は蛍光灯で光を当てその反射光をＣＣＤ（電荷結合素子）センサで読み取り、このアナログ信号をＡ／Ｄ変換でデジタル信号に変換し、画像処理してＤＲＡＭ２３Ｄに展開され、コピー機能においては、このＤＲＡＭ２３Ｄに展開された画像はＣＯＤＥＣ２５で符号化されて画像メモリ２６に格納される。
【００３５】
プリント部５０は、プリントエンジン、定着器並びに用紙の給紙部、搬送部及び排紙部を備え、ＤＲＡＭ２３Ｄ上に展開されるビットマップデータに基づいてプリントエンジンの感光ドラムに静電潜像を形成し、これをトナーで現像し、用紙に転写し定着させた後に排紙する。
【００３６】
図２は、複数ページに渡る一連の原稿Ｐを片面読み取りコピーする場合の、画像形成装置１０の動作の詳細フローチャートである。この動作は、ＭＰＵ２１がＥＥＰＲＯＭ２３Ｅ２に格納された所定のプログラムを実行することにより実現される。以下、括弧内は図２中のステップ識別符号である。
【００３７】
（Ｓ１）ユーザによる指示入力部３２の指示に応答して、コピージョブの各種条件設定を行なう。
【００３８】
（Ｓ２）指示入力部３２のスタートキーが押下されたか否かを判断する。肯定した場合にはステップＳ３に進み、否定した場合にはステップＳ１に戻る。
【００３９】
（Ｓ３）原稿積載トレイ４１に一連の原稿Ｐがセットされているか否かを判断し、肯定した場合にはステップＳ４に進み、否定した場合には表示部３１を制御して原稿Ｐをセットすべき旨を表示し、ステップＳ１に戻る。
【００４０】
（Ｓ４）自動原稿搬送装置４２を制御して、原稿積載トレイ４１から一連の原稿Ｐのうち先頭原稿を１枚給紙搬送する。
【００４１】
（Ｓ５）原稿読取部４３を制御して、読み取り位置まで搬送された原稿を読み取っていく。このとき原稿読取部４３で読み取られたアナログ画像信号はＡ／Ｄ変換されてデジタル画像信号となり、画像処理がされて上記ＤＲＡＭ２３Ｄに展開されていく。このＤＲＡＭ２３Ｄに展開された画像データは、ＣＯＤＥＣ２５により符号化されて画像記憶メモリ２６に格納される。
【００４２】
（Ｓ６）給紙された原稿を読み取り中に、自動原稿搬送装置４２でジャム又は給紙トレイがオープンされる等、搬送を中断する原因が発生したか否かを判断する。肯定した場合にはステップＳ１１に進み、否定した場合にはステップＳ７に進む。
【００４３】
（Ｓ７）１枚の原稿について全て読み取りが完了したか否かを判断する。肯定した場合にはステップＳ８に進み、否定した場合にはステップＳ５に戻る。
【００４４】
（Ｓ８）読み取り済みページ数をカウントする。
【００４５】
（Ｓ９、Ｓ１０）原稿積載トレイ４１に原稿があるか否かを判断する。肯定した場合にはステップＳ４に戻り、否定した場合には上記条件設定に従ってプリント部５０を制御して印刷を行う。なお、このフローでは、一連の原稿Ｐを全て読み取った後に印刷を開始しているが、読み取り済みの原稿から随時印刷を開始してもよい。
【００４６】
（Ｓ１１）上記中断原因がジャムである場合には、表示部３１を制御して、自動原稿搬送装置４２内でジャムした原稿を取り除くべき旨の表示をする。他にも、給紙トレイがオープンされた場合には、給紙トレイをクローズすべき旨の表示をする。
【００４７】
（Ｓ１２）中断原因が解除されたか否かを判断する。肯定した場合にはステップＳ２０に進み、否定した場合にはステップＳ１１に戻る。
【００４８】
（Ｓ２０）両面読み取り設定がされているか否かを判断する。本実施例１では片面読み取りコピーを行うので、否定判断してステップＳ２１に進む。なお、肯定判断した場合の説明は、後述の実施例２で説明する。
【００４９】
（Ｓ２１）カウントした読み取り済みページ数を取得する。
【００５０】
（Ｓ２２）取得した読み取り済みページ数に基づき、ジャム等の中断原因が発生する直前に読み取りを完了し、画像メモリ２６に格納された原稿の画像データを、ＣＯＤＥＣ２５によって復号化してＤＲＡＭ２３Ｄに展開する。次に、展開されたビットマップデータの画像を表示部３１に表示するためにサイズを調整して、表示用データを生成し、これをＤＲＡＭ２３Ｄに格納する。
【００５１】
（Ｓ２３）表示部３１を制御して、図４に示すような原稿再セット要求画面を表示する。この原稿再セット要求画面１００には、読み取り済みページ数及びカレントページ番号１０１と、上記ステップＳ２２で生成した表示用データに基づいた最終読み取り原稿のイメージ画像１０２と、再セットすべき先頭原稿のページ番号を示して原稿を再セットするように促すコメント１０３と、コピーを再開する再開ボタン１０４と、ページ戻しボタン１０５と、ページ送りボタン１０６と、が含まれる。ユーザは、この画面１００に従ってコピー対象である一連の原稿Ｐのうち残りの原稿を、表示されているイメージ画像１０２に対応するページ番号の次のページ番号の原稿を先頭として原稿積載トレイ４１にセットすることができる。なお、表示部３１がタッチパネル式でない場合には、再開ボタン１０４、ページ戻しボタン１０５及びページ送りボタン１０６に対応するハードウェアキーの押下を促すガイド（アイコン等）を表示する。
【００５２】
（Ｓ２４）上記再開ボタン１０４、ページ戻しボタン１０５又はページ送りボタン１０６のうち何れかの押下を受け付けたか否かを判断する。再開ボタン１０４の押下を受け付けた場合にはステップＳ２５に進み、ページ戻しボタン１０５の押下を受け付けた場合にはステップＳ２６に進み、ページ送りボタン１０６の押下を受け付けた場合にはステップＳ２８に進む。
【００５３】
（Ｓ２５）原稿積載トレイ４１に原稿がセットされているか否かを判断し、肯定した場合にはステップＳ４に戻り、否定した場合にはステップＳ２３に戻る。
【００５４】
（Ｓ２６）原稿再セット要求画面１００に表示されているイメージ画像１０２に対応するページ番号の、１つ前のページ番号が存在する場合には、その１つ前に該当する原稿の画像データを、ＣＯＤＥＣ２５によって復号化してＤＲＡＭ２３Ｄに展開する。次に、展開されたビットマップデータを表示部３１に表示するためにサイズを調整して表示用データを生成し、これをＤＲＡＭ２３Ｄに格納する。
【００５５】
（Ｓ２７）上記１つ前の原稿のイメージ画像１０２が表示されるように、ステップＳ２６で生成した表示用データに基づき、原稿再セット要求画面１００を更新し、ステップＳ２３に戻る。
【００５６】
（Ｓ２８）原稿再セット要求画面１００に表示されているイメージ画像１０２に対応するページ番号の、１つ後のページ番号が存在する場合には、その１つ後に該当する原稿の画像データを、ＣＯＤＥＣ２５によって復号化してＤＲＡＭ２３Ｄに展開する。次に、展開されたビットマップデータを表示部３１に表示するためにサイズを調整して表示用データを生成し、これをＤＲＡＭ２３Ｄに格納する。
【００５７】
（Ｓ２９）上記１つ後の原稿のイメージ画像１０２が表示されるように、ステップＳ２８で生成した表示用データに基づき、原稿再セット要求画面１００を更新し、ステップＳ２３に戻る。
【００５８】
本実施例１によれば、中断原因発生時に表示部３１に、図４に示すような原稿再セット要求画面１００を表示する。ユーザは、最初に表示された画面１００において先頭原稿を特定できないと判断した場合は、ページ戻しボタン１０５若しくはページ送りボタン１０６又はこれらと同一の機能を持つ指示入力部３２のハードウェアキーを随時押下して、上記中断発生時まで読み取られた全ての原稿の画像をそれぞれ確認することができる。これにより、上記一連の原稿Ｐの中に同様の内容が記載された原稿が複数ある場合でも、再セットすべき先頭原稿を迷うことなく特定することができるという効果を奏する。
【実施例２】
【００５９】
本実施例２では、複数ページに渡る一連の原稿Ｐを一面ずつ両面読み取りコピーする場合について説明する。画像形成装置１０の構成は、実施例２では自動原稿搬送装置４２が両面読み取り機能を備えることを除いて、実施例１で説明したものと同一である。
【００６０】
図３は、複数ページに渡る一連の原稿Ｐを両面読み取りコピーする場合の、画像形成装置１０の動作の詳細フローチャートである。この動作は、図２に示すステップＳ２０で肯定判定した場合のフローチャートである。
【００６１】
（Ｓ５０）中断原因が発生したときの読み取り中の原稿ページが、その原稿の一片面を読み取った後の反対面（両面読み取りの二面目）であるか否かを判断する。肯定した場合にはステップＳ５１に進み、否定した場合には図２に示すステップＳ２１に戻る。
【００６２】
（Ｓ５１）カウントした読み取り済みページ数を取得する。
【００６３】
（Ｓ５２）取得した読み取り済みページ数を１だけデクリメントして、この値に基づき、ジャム等の中断原因が発生する直前に読み取りを完了したページより１ページ手前で、両面とも読み取り済みの原稿の二面目の画像データを、ＣＯＤＥＣ２５によって復号化してＤＲＡＭ２３Ｄに展開する。次に、展開されたビットマップデータの画像を表示部３１に表示するためにサイズを調整して、表示用データを生成し、これをＤＲＡＭ２３Ｄに格納する。
【００６４】
（Ｓ５３）表示部３１を制御して、実施例１で説明した図４に示す原稿再セット要求画面１００と同様な画面を表示する。本実施例２で最初に表示されるイメージ画像１０２は、最終読み取り原稿の１ページ手前で、両面読み取りの二面目に該当する原稿の画像となり、表示される読み取り済みページ数１０１は、実際の読み取り済みページ数よりも１つ小さな値となる。
【００６５】
本実施例２によれば、上記実施例１の例外処理として、両面読み取り設定がされ、かつ、原稿のうち一片面のみが読み取られている場合には、原稿再セット要求画面１００において、その一片面に係るイメージ画像１０２は意図的に表示させないようにしている。これにより、上記一片面のイメージ画像１０２は視覚に入らないので、ユーザは、先頭原稿となる該一片面を含んだ原稿の表面裏面どちらの面を上にして再セットすべきか判断せず、ページ単位ではなく、原稿単位で意識することが可能となり、もって先頭原稿を迷うことなく特定することができるという効果を奏する。
【００６６】
また、上記一片面を上にして再セットされた場合、図３に示すステップＳ５６で空送りされて、先頭原稿となる該一片面を含んだ原稿のどちらの面を上にして再セットしても、画像メモリ２６には一連の原稿Ｐの画像データが連続して正しい順序で蓄積されるので、ユーザは、先頭原稿を原稿単位として意識するだけでよく、もって先頭原稿をより容易に特定することができるという効果を奏する。
【００６７】
さらに、両面を同時に読み取る、表面から先に読み取る又は裏面から先に読み取るといった両面読み取りの構成に関係なく、本発明を実現することができる。なお、両面を同時に読み取る機能の場合には、図２に示すステップＳ２０で否定判定される。
【００６８】
なお、上述した本発明の実施例１及び２は、本発明の説明のための例示であり、本発明の範囲をそれらの実施例にのみ限定する趣旨ではない。本発明は、その要旨を逸脱することなしに、様々な変形が可能である。以下に、その変形の一部を例示する。
【００６９】
図４に示す画面１００は、本発明に係る原稿再セット要求画面の一態様に過ぎず、例えば、図５に示すようにジャム発生前までに読み取りを完了した全ての原稿のサムネイル画像を表示部３１に同時に表示するようにしてもよい。また、両面読み取りコピーの場合には、図６に示すように所定原稿の両面のイメージ画像１０２を同時に表示するようにしてもよい。
【００７０】
また、図２及び図３のフローは、コピージョブに用いられる場合に限られず、スキャンジョブ又はファクシミリジョブにおいても同様に用いることができ、これらジョブにも本発明を適用できる。
【００７１】
さらに、図３に示すステップＳ５６の代わりに、ＭＰＵ２１が画像メモリ２６内の最終ページに係る画像データを消去するステップを設けてもよい。この場合、先頭原稿となる上記最終ページを含んだ原稿のどちらの面を上にして再セットしても、一連の原稿Ｐの画像データが連続して正しい順序で蓄積される。
【００７２】
さらに、画像形成装置１０は、上述した構成要素以外の構成要素を含んでいてもよく、或いは、上記した構成要素のうちの一部が含まれていなくてもよい。例えば、プリント部５０及びモデム２４が含まれていなくても、本発明を実施することができる。また、表示部３１の代わりに、大型ディスプレイを含んでいる場合には、図２示すステップＳ２２並びに図３に示すステップＳ５２、５８及び６０でビットマップデータを縮小して表示用データを生成しなくとも、本発明を実施することが可能である。
【図面の簡単な説明】
【００７３】
【図１】本発明の実施例１に係わる画像形成装置のハードウェア構成を示す概略ブロック図である。
【図２】複数ページに渡る一連の原稿Ｐを片面読み取りコピーする場合の、画像形成装置の動作の詳細フローチャートである。
【図３】複数ページに渡る一連の原稿Ｐを両面読み取りコピーする場合の、画像形成装置の動作の詳細フローチャートである。
【図４】原稿再セット要求画面の説明図である。
【図５】原稿再セット要求画面の第１変形例である。
【図６】原稿再セット要求画面の第２変形例である。
【符号の説明】
【００７４】
１０  画像形成装置
２０  コントローラ部
２１  ＭＰＵ
２２  インタフェース
２３Ｅ１  ＥＥＰＲＯＭ
２３Ｅ２  ＥＥＰＲＯＭ
２３Ｄ  ＤＲＡＭ
２４  ファクシミリモデム
２５  ＣＯＤＥＣ
２６  画像メモリ
３０  パネル部
３１  表示部
３２  指示入力部
４０  スキャナ部
４１  原稿積載トレイ
４２  自動原稿搬送装置
４３  原稿読取部
５０  プリンタ部
１００  原稿再セット要求画面
１０１  読み取り済みページ数及びカレントページ番号
１０２  イメージ画像
１０３  コメント
１０４  再開ボタン
１０５  ページ戻しボタン
１０６  ページ送りボタン
Ｐ  一連の原稿
【図１】
2009207023.tif 000003
【図２】
2009207023.tif 000004
【図３】
2009207023.tif 000005
【図４】
2009207023.tif 000006
【図５】
2009207023.tif 000007
【図６】
2009207023.tif 000008